【手続補正書】
【提出日】平成20年5月7日(2008.5.7)
【手続補正１】
【補正対象書類名】特許請求の範囲
【補正対象項目名】全文
【補正方法】変更
【補正の内容】
【特許請求の範囲】
【請求項１】
シャーシ外装のフロント面にディスクを直接挿入するディスク装置であって、
前記ディスクがディスク装置内部に挿入されたことを検出するディスク挿入検出手段と、前記ディスク挿入検出手段により前記ディスクが前記ディスク装置内部に挿入されたことを検出した後、前記ディスクを前記ディスク装置内部に移動させてスピンドルモータに回転可能に装着するディスクローディング手段と、
前記ディスクローディング手段が前記ディスクのローディング動作を完了した状態を検出するローディング完了検出手段と、
前記ディスクの前記スピンドルモータへの装着状態を解除して前記ディスク装置外部に前記ディスクを排出するディスク排出手段と、
前記ディスク排出手段により前記ディスクが排出された状態を検出するディスク排出状態検出手段と、
ディスクローディング状態と、ディスク排出状態の間で、前記ディスクを挿入してローディング動作を行うことが可能な状態を検出するディスクローディング待機状態検出手段と、
前記ディスク装置内のディスク有無を検出するディスク有無検出手段と
を備えることを特徴とするディスク装置。
【請求項２】
請求項１に記載のディスク装置の初期化時における初期化方法であって、
前記ディスク装置内にディスクが存在するか否か判別するステップと、
前記ディスクが前記ディスク装置内に存在することを検出した場合は、前記ディスクのスピンアップ処理を行って記録または再生可能な状態にするステップと、
前記ディスクが前記ディスク装置内に存在しないことを検出した場合は、前記ディスク排出手段により、前記ディスク排出状態検出手段がディスク排出状態を検出するまでディスク排出動作を行うステップと、
前記ディスクローディング手段または前記ディスク排出手段を前記ディスクローディング待機状態検出手段がディスクローディング待機状態を検出するまで動作させてディスクローディング待機状態とするステップと
を備えることを特徴とするディスク装置の初期化方法。
【請求項３】
請求項１に記載のディスク装置のディスク排出時の初期化方法であって、
前記ディスク装置内にディスクが存在するときにディスク排出命令を受け取った場合には、前記ディスク排出手段を動作させて前記ディスク排出状態検出手段がディスク排出状態を検出するまでディスク排出動作を行うステップと、
前記ディスクローディング手段または前記ディスク排出手段を前記ディスクローディング待機状態検出手段がディスクローディング待機状態を検出するまで動作させてディスクローディング待機状態とするステップと
を備えることを特徴とするディスク装置の初期化方法。
【請求項４】
請求項１に記載のディスク装置のディスク排出時の初期化方法であって、
前記ディスク装置内にディスクが存在しないときにディスク排出命令を受け取った場合には、前記ディスク排出手段を動作させて強制排出動作を行うことを特徴とするディスク装置の初期化方法。
【請求項５】
請求項２に記載のディスク装置の初期化方法であって、
前記ディスクが前記ディスク装置内に存在しないことを検出した場合における前記ローディングモータの駆動電圧を、通常のディスクローディングまたは排出動作における駆動電圧よりも低い電圧としたことを特徴とするディスク装置の初期化方法。
【請求項６】
請求項２に記載のディスク装置の初期化方法であって、
前記ディスク装置内にディスクが存在するときにディスク排出命令を受け取った場合には、前記ディスク排出手段を動作させて前記ディスク排出状態検出手段がディスク排出状態を検出するまでディスク排出動作を行うステップと、
前記ディスクローディング手段を前記ディスクローディング待機状態検出手段がディスクローディング待機状態を検出するまで動作させてディスクローディング待機状態とするステップとを備え、
前記ディスク排出動作を行うステップでは前記ローディングモータを通常の電圧で動作させ、前記ディスクローディング待機状態とするステップでは前記ローディングモータの動作を通常のディスクローディング動作における駆動電圧よりも低い電圧としたことを特徴とするディスク装置の初期化方法。
【請求項７】
請求項２に記載のディスク装置の初期化方法であって、
前記ディスク装置内にディスクが存在しないときにディスク排出命令を受け取った場合には、前記ディスク排出手段を動作させて強制的な排出動作を行うステップと、
前記強制的に排出動作を行った後、前記ディスクローディング手段を前記ディスクローディング待機状態検出手段がディスクローディング待機状態を検出するまで動作させてディスクローディング待機状態とするステップとを備え、
前記強制的な排出動作を行うステップでは前記ローディングモータを通常の電圧で動作させ、前記強制的な排出動作の終了後、前記ディスクローディング待機状態とするステップでは前記ローディングモータの動作を通常のディスクローディング動作における駆動電圧よりも低い電圧としたことを特徴とするディスク装置の初期化方法。
【請求項８】
前記ディスク排出動作を行うステップおよび前記ディスクローディング待機状態とするステップは各々所定時間経過後に終了させ、終了時に前記ローディングモータを通常の電圧で動作させることを特徴とする請求項５から請求項７のいずれかに記載のディスク装置の初期化方法。
【手続補正２】
【補正対象書類名】明細書
【補正対象項目名】０００５
【補正方法】変更
【補正の内容】
【０００５】
請求項１記載の本発明のディスク装置は、シャーシ外装のフロント面にディスクを直接挿入するディスク装置であって、前記ディスクがディスク装置内部に挿入されたことを検出するディスク挿入検出手段と、前記ディスク挿入検出手段により前記ディスクが前記ディスク装置内部に挿入されたことを検出した後、前記ディスクを前記ディスク装置内部に移動させてスピンドルモータに回転可能に装着するディスクローディング手段と、前記ディスクローディング手段が前記ディスクのローディング動作を完了した状態を検出するローディング完了検出手段と、前記ディスクの前記スピンドルモータへの装着状態を解除して前記ディスク装置外部に前記ディスクを排出するディスク排出手段と、前記ディスク排出手段により前記ディスクが排出された状態を検出するディスク排出状態検出手段と、ディスクローディング状態と、ディスク排出状態の間で、前記ディスクを挿入してローディング動作を行うことが可能な状態を検出するディスクローディング待機状態検出手段と、前記ディスク装置内のディスク有無を検出するディスク有無検出手段とを備えることを特徴とする。
請求項２記載の本発明のディスク装置の初期化方法は、請求項１に記載のディスク装置内にディスクが存在するかどうか判別するステップと、前記ディスクが前記ディスク装置内に存在することを検出した場合は、前記ディスクのスピンアップ処理を行って記録または再生可能な状態にするステップと、前記ディスクが前記ディスク装置内に存在しないことを検出した場合は、前記ディスク排出手段により、前記ディスク排出状態検出手段がディスク排出状態を検出するまでディスク排出動作を行うステップと、前記ディスクローディング手段または前記ディスク排出手段を前記ディスクローディング待機状態検出手段がディスクローディング待機状態を検出するまで動作させてディスクローディング待機状態とするステップとを備えることを特徴とする。
請求項３記載の本発明のディスク装置の初期化方法は、請求項１に記載のディスク装置にディスクが存在するときにディスク排出命令を受け取った場合には、前記ディスク排出手段を動作させて前記ディスク排出状態検出手段がディスク排出状態を検出するまでディスク排出動作を行うステップと、前記ディスクローディング手段または前記ディスク排出手段を前記ディスクローディング待機状態検出手段がディスクローディング待機状態を検出するまで動作させてディスクローディング待機状態とするステップとを備えることを特徴とする。
請求項４記載の本発明のディスク装置の初期化方法は、請求項１に記載のディスク装置内にディスクが存在しないときにディスク排出命令を受け取った場合には、前記ディスク排出手段を動作させて強制排出動作を行うことを特徴とする。
請求項５記載の本発明のディスク装置の初期化方法は、請求項２記載のディスク装置の初期化方法において、前記ディスクが前記ディスク装置内に存在しないことを検出した場合における前記ローディングモータの駆動電圧を、通常のディスクローディングまたは排出動作における駆動電圧よりも低い電圧としたことを特徴とする。
請求項６記載の本発明のディスク装置の初期化方法は、請求項２記載のディスク装置の初期化方法において、前記ディスク装置内にディスクが存在するときにディスク排出命令を受け取った場合には、前記ディスク排出手段を動作させて前記ディスク排出状態検出手段がディスク排出状態を検出するまでディスク排出動作を行うステップと、前記ディスクローディング手段を前記ディスクローディング待機状態検出手段がディスクローディング待機状態を検出するまで動作させてディスクローディング待機状態とするステップとを備え、前記ディスク排出動作を行うステップでは前記ローディングモータを通常の電圧で動作させ、前記ディスクローディング待機状態とするステップでは前記ローディングモータの動作を通常のディスクローディング動作における駆動電圧よりも低い電圧としたことを特徴とする。
請求項７記載の本発明のディスク装置の初期化方法は、請求項２記載のディスク装置の初期化方法において、前記ディスク装置内にディスクが存在しないときにディスク排出命令を受け取った場合には、前記ディスク排出手段を動作させて強制的な排出動作を行うステップと、前記強制的に排出動作を行った後、前記ディスクローディング手段を前記ディスクローディング待機状態検出手段がディスクローディング待機状態を検出するまで動作させてディスクローディング待機状態とするステップとを備え、前記強制的な排出動作を行うステップでは前記ローディングモータを通常の電圧で動作させ、前記強制的な排出動作の終了後、前記ディスクローディング待機状態とするステップでは前記ローディングモータの動作を通常のディスクローディング動作における駆動電圧よりも低い電圧としたことを特徴とする。
請求項８記載の本発明のディスク装置の初期化方法は、請求項５から請求項７のいずれかに記載のディスク装置の初期化方法において、前記ディスク排出動作を行うステップおよび前記ディスクローディング待機状態とするステップは各々所定時間経過後に終了させ、終了時に前記ローディングモータを通常の電圧で動作させることを特徴とする。
【手続補正３】
【補正対象書類名】明細書
【補正対象項目名】０００７
【補正方法】変更
【補正の内容】
【０００７】
本発明の第１の実施の形態によるディスク装置は、スロットローディング式のディスク装置内部にディスクが挿入されたことを検出するディスク挿入検出手段と、ディスクがディスク装置内部に挿入されたことを検出した後、ディスクをディスク装置内部に移動させてスピンドルモータに回転可能に装着するディスクローディング手段と、ディスクローディング手段がディスクのローディング動作を完了した状態を検出するローディング完了検出手段と、ディスクのスピンドルモータへの装着状態を解除してディスク装置外部にディスクを排出するディスク排出手段と、ディスクが排出された状態を検出するディスク排出状態検出手段と、ディスクを挿入してローディング動作を行うことが可能な状態を検出するディスクローディング待機状態検出手段と、ディスク装置内のディスク有無を検出するディスク有無検出手段とを備えたもので、ディスク装置全体の小型軽量化、薄型化を図ったスロットローディング式のディスク装置に、使用者が特別の操作を必要とせずにディスク装置の初期化操作、ディスクのローディング操作および排出操作をすることができる。したがって、ディスク装置内でディスクを適切に取扱うことができ、エラーの発生を抑えることができる。
本発明の第２の実施の形態によるディスク装置の初期化方法は、第１の実施の形態によるディスク装置の初期化に際して、ディスク有無検出手段がディスク装置内にディスクが存在することを検出した場合には、ディスクのスピンアップ処理を行って記録または再生可能な状態にし、ディスクがディスク装置内に存在しないことを検出した場合は、ディスク排出状態検出手段がディスク排出状態を検出するまでディスクの排出を行い、さらに、ディスクローディング待機状態を検出するまでディスクローディング手段またはディスク排出手段を動作させるもので、ディスク装置全体の小型軽量化、薄型化を図ったスロットローディング式のディスク装置に、使用者が特別の操作を必要とせずにディスク装置の初期化操作をすることができる。したがって、ディスク装置内でディスクを適切に取扱うことができ、エラーの発生を抑えることができる。
本発明の第３の実施の形態によるディスク装置の初期化方法は、第１の実施の形態によるディスク装置の初期化に際して、ディスク装置にディスクが存在するときにディスク排出命令を受け取った場合には、ディスク排出状態を検出するまでディスク排出動作を行い、さらに、ディスクローディング待機状態を検出するまでディスクローディング手段またはディスク排出手段を動作させるもので、ディスク装置全体の小型軽量化、薄型化を図ったスロットローディング式のディスク装置に、使用者が特別の操作を必要とせずにディスク装置の初期化操作をすることができる。したがって、ディスク装置内でディスクを適切に取扱うことができ、エラーの発生を抑えることができる。
本発明の第４の実施の形態によるディスク装置の初期化方法は、第１の実施の形態によるディスク装置の初期化に際して、ディスク装置内にディスクが存在しないときにディスク排出命令を受け取った場合には、強制的にディスク排出動作を行うもので、ディスク装置全体の小型軽量化、薄型化を図ったスロットローディング式のディスク装置に、使用者が特別の操作を必要とせずにディスク装置の初期化操作をすることができる。したがって、ディスク装置内でディスクを適切に取扱うことができ、エラーの発生を抑えることができる。
本発明の第５の実施の形態によるディスク装置の初期化方法は、スロットローディング式のディスク装置の初期化に際して、ディスクがディスク装置内に存在する場合には、ディスクのスピンアップ処理を行って記録または再生可能な状態にし、ディスクがディスク装置内に存在しない場合は、ディスク排出状態検出手段がディスク排出状態を検出するまでディスクの排出を行い、さらに、ディスクローディング待機状態を検出するまでディスクローディングまたはディスク排出を行い、ディスクがディスク装置内に存在しない場合におけるローディングモータの駆動電圧を通常のディスクローディングまたは排出動作における駆動電圧よりも低い電圧としたもので、ディスク装置全体の小型軽量化、薄型化を図ったスロットローディング式のディスク装置の初期化時にメカ移動動作のローディング音を低減させることができる。
本発明の第６の実施の形態によるディスク装置の初期化方法は、スロットローディング式のディスク装置の初期化に際して、ディスク装置内にディスクが存在するときにディスク排出命令を受け取った場合には、ディスク排出状態検出手段がディスク排出状態を検出するまでディスクの排出を行い、さらに、ディスクローディング待機状態を検出するまでディスクローディングまたはディスク排出を行い、ディスク排出動作を行うステップではローディングモータを通常の電圧で動作させ、ディスクローディング待機状態とするステップではローディングモータの動作を通常のディスクローディング動作における駆動電圧よりも低い電圧としたもので、ディスク装置全体の小型軽量化、薄型化を図ったスロットローディング式のディスク装置の初期化時にメカ移動動作のローディング音を低減させることができる。
本発明の第７の実施の形態によるディスク装置の初期化方法は、スロットローディング式のディスク装置の初期化に際して、ディスク装置内にディスクが存在しないときにディスク排出命令を受け取った場合には強制的な排出動作を行った後、ディスクローディング待機状態検出手段がディスクローディング待機状態を検出するまでディスクローディング手段を動作させてディスクローディング待機状態とし、強制的な排出動作を行うステップではローディングモータを通常の電圧で動作させ、強制的な排出動作の終了後、ディスクローディング待機状態とするステップではローディングモータの動作を通常のディスクローディング動作における駆動電圧よりも低い電圧としたもので、ディスク装置全体の小型軽量化、薄型化を図ったスロットローディング式のディスク装置の初期化時にメカ移動動作のローディング音を低減させることができる。
本発明の第８の実施の形態は、第５から第７の実施の形態によるディスク装置の初期化方法において、ディスク排出動作を行うステップおよびディスクローディング待機状態とするステップを各々所定時間経過後に終了させ、この終了時にローディングモータを通常の電圧で動作させるもので、初期化時に低電圧駆動していたローディングモータの駆動電圧を、初期化動作の終了後自動的に通常運転の電圧に復帰させることができる。